(57)【特許請求の範囲】
【請求項１】
ワイヤレス通信におけるデータのブロードキャストを管理するための、ブロードキャスト管理デバイスにおける方法であって、
マルチキャストセッションにユーザ機器（ＵＥ）が参加するための要求を前記ＵＥから受信することと、
前記マルチキャストセッションに関連する複数のブロードキャスト技術ベースの識別子を受信すること、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択することと、
前記選択されたＲＡＴから、前記マルチキャストセッションに関連するデータのマルチキャストストリームを受信することと、
前記ＵＥから要求された前記マルチキャストセッションに対応する制御情報を識別すること、ここにおいて、前記制御情報は、前記複数のＲＡＴのうちの１つまたは複数にわたって受信される、と、
前記選択されたＲＡＴを識別する前記ブロードキャスト技術ベースの識別子に少なくとも一部分基づいて、前記ブロードキャスト管理デバイスのモデムプロセッサとアプリケーションプロセッサとの間にインターネットプロトコル（ＩＰ）パイプを生成することと、
前記ＩＰパイプを介して前記モデムプロセッサから前記アプリケーションプロセッサに、前記識別された制御情報に対応する前記受信したデータのマルチキャストストリームをトランスポートすることと、
前記アプリケーションプロセッサにおいて、前記トランスポートされたデータのマルチキャストストリームを前記ＵＥに送信することと
を備える、方法。
【請求項２】
前記マルチキャストセッションに参加するための、別個のエンティティから受信した多数の要求を識別することをさらに備え、前記マルチキャストセッションは、マルチキャストインターネットプロトコル（ＩＰ）アドレスによって識別される、請求項１に記載の方法。
【請求項３】
別個のエンティティから受信した前記識別された多数の要求に少なくとも一部分基づいて１つまたは複数のデータのストリーム中にデータのマルチキャストストリームを複製することと、
前記識別された多数の別個のエンティティに前記複製されたデータのマルチキャストストリームを送信することと
をさらに備える、請求項２に記載の方法。
【請求項４】
前記要求を受信することは、
第１のマルチキャストＩＰアドレスによって識別された第１のマルチキャストセッションに参加するための、第１のデバイスから第１の要求を受信することと、
第２のマルチキャストＩＰアドレスによって識別された第２のマルチキャストセッションに参加するための、第２のデバイスから第２の要求を受信することと
を備え、前記第２のマルチキャストＩＰアドレスは、前記第１のマルチキャストＩＰアドレスと異なる、請求項１に記載の方法。
【請求項５】
前記第１のマルチキャストＩＰアドレスに少なくとも一部分基づいて第１のブロードキャスト技術ベースの識別子を決定することと、
前記第２のマルチキャストＩＰアドレスに少なくとも一部分基づいて第２のブロードキャスト技術ベースの識別子を決定することと
をさらに備える、請求項４に記載の方法。
【請求項６】
第１の無線アクセス技術（ＲＡＴ）を選択するために前記第１のブロードキャスト技術ベースの識別子を使用すること、ここにおいて、前記第１のＲＡＴは、前記第１のブロードキャスト技術ベースの識別子によって識別された第１のブロードキャスト技術を実装する、と、
第２のＲＡＴを選択するために前記第２のブロードキャスト技術ベースの識別子を使用することと
をさらに備え、前記第２のＲＡＴは、前記第２のブロードキャスト技術ベースの識別子によって識別された第２のブロードキャスト技術を実装する、請求項５に記載の方法。
【請求項７】
前記第１のＲＡＴから第１のデータのマルチキャストストリームを受信すること、ここにおいて、前記第１のデータのマルチキャストストリームは、第１の制御情報に関連する、と、
前記第２のＲＡＴから第２のデータのマルチキャストストリームを受信することと
をさらに備え、前記第２のデータのマルチキャストストリームは、第２の制御情報に関連する、請求項６に記載の方法。
【請求項８】
ワイヤレス通信におけるデータのブロードキャストを管理するように動作可能な装置であって、
マルチキャストセッションにユーザ機器（ＵＥ）が参加するための要求を前記ＵＥから受信するための手段と、
前記マルチキャストセッションに関連する複数のブロードキャスト技術ベースの識別子を受信するための手段、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択するための手段と、
前記選択されたＲＡＴから、前記マルチキャストセッションに関連するデータのマルチキャストストリームを受信するための手段と、
前記ＵＥから要求された前記マルチキャストセッションに対応する制御情報を識別するための手段、ここにおいて、前記制御情報は、前記複数のＲＡＴのうちの１つまたは複数にわたって受信される、と、
前記選択されたＲＡＴを識別する前記ブロードキャスト技術ベースの識別子に少なくとも一部分基づいて、前記装置のモデムプロセッサとアプリケーションプロセッサとの間にインターネットプロトコル（ＩＰ）パイプを生成するための手段と、
前記ＩＰパイプを介して前記モデムプロセッサから前記アプリケーションプロセッサに、前記識別された制御情報に対応する前記受信したデータのマルチキャストストリームをトランスポートするための手段と、
前記アプリケーションプロセッサにおいて、前記トランスポートされたデータのマルチキャストストリームを前記ＵＥに送信するための手段と
を備える、装置。
【請求項９】
前記マルチキャストセッションに参加するための、別個のエンティティから受信した多数の要求を識別するための手段をさらに備え、前記マルチキャストセッションは、マルチキャストインターネットプロトコル（ＩＰ）アドレスによって識別される、請求項８に記載の装置。
【請求項１０】
別個のエンティティから受信した前記識別された多数の要求に少なくとも一部分基づいて１つまたは複数のデータのストリーム中にデータのマルチキャストストリームを複製するための手段と、
前記識別された多数の別個のエンティティに前記複製されたデータのマルチキャストストリームを送信するための手段と
をさらに備える、請求項９に記載の装置。
【請求項１１】
前記要求を受信するための前記手段は、
第１のマルチキャストＩＰアドレスによって識別された第１のマルチキャストセッションに参加するための、第１のデバイスから第１の要求を受信するための手段と、
第２のマルチキャストＩＰアドレスによって識別された第２のマルチキャストセッションに参加するための、第２のデバイスから第２の要求を受信するための手段と
を備え、前記第２のマルチキャストＩＰアドレスは、前記第１のマルチキャストＩＰアドレスと異なる、請求項８に記載の装置。
【請求項１２】
前記第１のマルチキャストＩＰアドレスに少なくとも一部分基づいて第１のブロードキャスト技術ベースの識別子を決定するための手段と、
前記第２のマルチキャストＩＰアドレスに少なくとも一部分基づいて第２のブロードキャスト技術ベースの識別子を決定するための手段と
をさらに備える、請求項１１に記載の装置。
【請求項１３】
第１の無線アクセス技術（ＲＡＴ）を選択するために前記第１のブロードキャスト技術ベースの識別子を使用するための手段、ここにおいて、前記第１のＲＡＴは、前記第１のブロードキャスト技術ベースの識別子によって識別された第１のブロードキャスト技術を実装する、と、
第２のＲＡＴを選択するために前記第２のブロードキャスト技術ベースの識別子を使用するための手段と
をさらに備え、前記第２のＲＡＴは、前記第２のブロードキャスト技術ベースの識別子によって識別された第２のブロードキャスト技術を実装する、請求項１２に記載の装置。
【請求項１４】
前記第１のＲＡＴから第１のデータのマルチキャストストリームを受信するための手段、ここにおいて、前記第１のデータのマルチキャストストリームは、第１の制御情報に関連する、と、
前記第２のＲＡＴから第２のデータのマルチキャストストリームを受信するための手段と
をさらに備え、前記第２のデータのマルチキャストストリームは、第２の制御情報に関連する、請求項１３に記載の装置。
【請求項１５】
コンピュータ上で実行されると、請求項１−７のうちのいずれか一項に記載の方法を実行するための命令を備えるコンピュータプログラム。
【発明の詳細な説明】
【関連出願】
【０００１】
[0001]本特許出願は、２０１４年１月２９日に出願された、「Managing Broadcast Services」と題される、Sukumar等による米国特許出願米国の特許出願第１４／１６７，９７７号、および２０１３年２月１日に出願された、「Managing Broadcast Services」と題される、Sukumar等による米国仮特許出願第６１／７５９，５４４に対する優先権を主張し、これらの出願は、本出願の譲受人に譲渡される。
【背景技術】
【０００２】
[0002]下記のものは、概して、ワイヤレス通信に関し、より詳細に、ブロードキャストおよび／またはマルチキャストサービスを管理することに関する。ワイヤレス通信システムは、音声、映像、パケットデータ、メッセージング、ブロードキャスト、等のような、様々なタイプの通信コンテンツを提供するために広く展開されている。これらのシステムは、（例えば、時間、周波数、および電力のような）利用可能なシステムリソースを共有することによって複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システムおよび直角の周波数分割多元接続（ＯＦＤＭＡ）システムを含む。
【０００３】
[0003]概して、ワイヤレス多元接続システムは、複数のモバイルデバイスのための通信を各々同時にサポートする、多数の基地局を含みうる。基地局は、ダウンストリームリンクおよびアップストリームリンク上でモバイルデバイスと通信しうる。各基地局は、カバレージ範囲を有し、それはセルのカバレージエリアと称されうる。基地局は、セルラ方式が使用可能な（cellular-enabled）モバイルデバイス上でアクセスされうるデータストリームにおけるあるマルチメディアコンテンツをセル内でブロードキャストしうる。セル内には、セルラ方式が使用不可能なあるモバイルデバイスがありうるが、ユニバーサルシリアルバス（ＵＳＢ）接続を通じてデータカード（例えば、セルラーネットワークにわたってデータを送ることおよび／または受信することができるデバイス）またはワイヤレスルータ（例えば、ワイヤレスローカルエリアネットワーク（ＷＬＡＮ）ワイヤレスルータ）とワイヤレスに通信することが依然としてできる。
【発明の概要】
【０００４】
[0004]開示される特徴は、概して、特定のマルチキャストインターネットプロトコル（ＩＰ）アドレスによって識別されるマルチキャストグループに参加するためのデータルータまたはデータカードに結合されたデバイスからの要求を管理するための１つまたは複数の改善されたシステム、方法、および／または装置に関する。データルータおよび／またはデータカードは、接続されたコンピューティングデバイスがネットワークにわたってデータを送受信することができるようにしうる。コンピューティングデバイスは、ワイヤードまたはワイヤレス接続でデータルータまたはデータカードと接続しうる。コンピューティングデバイスは、セルラ能力がディスエーブルされたまたは制限されたセルラ能力を持つセルラ方式が使用可能なデバイスである、あるいはセルラ能力を持たないデバイスでありうる。１つの例では、現在のシステムおよび方法は、特定のブロードキャスト技術（例えばＣＤＭＡ、エンハンスドマルチメディアブロードキャストマルチキャストサービス（ｅＭＢＭＳ）、等）を使用して基地局からブロードキャストされているマルチメディアコンテンツを識別するために使用されうるブロードキャスト技術識別子にマルチキャストＩＰベースの識別子をマップしうる。システムは、要求しているデバイスにマルチメディアコンテンツを含むマルチメディアデータを提供しうる。いくつかの構成では、システムは、マルチメディアコンテンツを要求するいくつかの異なるデバイスに同じデータストリームを提供するためにマルチキャストデータストリームを複製しうる。
【０００５】
[0005]ワイヤレス通信におけるデータのブロードキャストを管理する方法が記述される。マルチキャストセッションに参加するための要求が受信される。マルチキャストセッションに関連する複数のブロードキャスト技術ベースの識別子が受信されうる。各ブロードキャスト技術ベースの識別子は、マルチキャストセッションをブロードキャストする複数の無線アクセス技術（ＲＡＴ）のうちの１つを識別しうる。複数のＲＡＴのうちの１つが選択されうる。マルチキャストセッションに関連するデータのマルチキャストストリームは、選択されたＲＡＴから受信されうる。
【０００６】
[0006]１つの実施形態では、マルチキャストセッションに関連する制御情報が識別されうる。制御情報は、複数のＲＡＴのうちの１つまたは複数にわたって受信されうる。いくつかの場合では、インターネットプロトコル（ＩＰ）パイプが生成されうる。ＩＰパイプは、選択されたＲＡＴを識別するブロードキャスト技術ベースの識別子に少なくとも一部分基づきうる。受信されたデータのマルチキャストストリームは、ＩＰパイプを介してモデムプロセッサからトランスポートされうる。１つの実施形態では、マルチキャストセッションに参加するために別個のエンティティから受信された多数の要求が識別されうる。マルチキャストセッションは、マルチキャストインターネットプロトコル（ＩＰ）アドレスによって識別されうる。１つの例では、データのマルチキャストストリームは、別個のエンティティから受信され、識別された多数の要求に少なくとも一部分基づいて１つまたは複数のデータのストリームに複製されうる。複製されたデータのマルチキャストストリームは、識別された多数の別個のエンティティに送信されうる。
【０００７】
[0007]いくつかの実施形態では、第１の要求は、第１のマルチキャストＩＰアドレスによって識別される第１のマルチキャストセッションに参加するために、第１のデバイスから受信されうる。第２の要求は、第２のマルチキャストＩＰアドレスによって識別される第２のマルチキャストセッションに参加するために、第２のデバイスから受信されうる。第２のマルチキャストＩＰアドレスは、第１マルチキャストＩＰアドレスと異なりうる。いくつかの場合では、第１のブロードキャスト技術ベースの識別子は、第１のマルチキャストＩＰアドレスに少なくとも一部分基づいて決定されうる。第２のブロードキャスト技術ベースの識別子は、第２のマルチキャストＩＰアドレスに少なくとも一部分基づいて決定されうる。いくつかの実施形態では、第１のブロードキャスト技術ベースの識別子は、第１の無線アクセス技術（ＲＡＴ）を選択するために使用されうる。第１のＲＡＴは、第１のブロードキャスト技術ベースの識別子によって識別された第１のブロードキャスト技術を実装しうる。第２のブロードキャスト技術ベースの識別子は、第２のＲＡＴを選択するために使用されうる。第２のＲＡＴは、第２のブロードキャスト技術ベースの識別子によって識別された第２のブロードキャスト技術を実装しうる。
【０００８】
[0008]１つの構成では、第１のデータのマルチキャストストリームは、第１のＲＡＴから受信されうる。第１のデータのマルチキャストストリームは、第１の制御情報に関連しうる。第２のデータのマルチキャストストリームは、第２のＲＡＴから受信されうる。第２のデータのマルチキャストストリームは、第２の制御情報に関連しうる。いくつかの場合では、第１のデータのマルチキャストストリームは、第１デバイスに送信されうる。第２のデータのマルチキャストストリームは、第２のデバイスに送信されうる。いくつかの実施形態では、ブロードキャスト技術ベースの識別子は、モデムプロセッサに転送されうる。ブロードキャスト技術ベースの識別子は、選択されたＲＡＴを識別しうる。選択されたＲＡＴによって使用される制御情報は、モデムプロセッサに転送されうる。
【０００９】
[0009]１つの実施形態では、ブロードキャスト技術ベースの識別子はエンハンスドマルチメディアブロードキャストマルチキャストサービス（ｅＭＢＭＳ）ＲＡＴを識別するために使用されうる。ｅＭＢＭＳ  ＲＡＴは、テンポラリモバイルグループアイデンティティ（ＴＭＧＩ）を含みうる制御情報を送りうる。いくつかの実施形態では、マルチキャストセッションに関連するデータのマルチキャストストリームはロングタームエボリューション（ＬＴＥ）フェムトセルを介して受信されうる。いくつかの場合には、マルチキャストセッションに関連するデータのマルチキャストストリームの少なくとも一部は、無認可の周波数スペクトルを使用して受信されうる。
【００１０】
[0010]ワイヤレス通信におけるデータのブロードキャストを管理するように構成されたデバイスが記述される。デバイスは、プロセッサとの電子通信におけるプロセッサおよびメモリを含みうる。命令は、メモリ内に記憶されうる。命令は、マルチキャストセッションに参加するための要求を受信することと、マルチキャストセッションに関連する複数のブロードキャスト技術ベースの識別子を受信すること、ここにおいて、各ブロードキャスト技術ベースの識別子は、マルチキャストセッションをブロードキャストする複数の無線アクセス技術（ＲＡＴ）のうちの１つを識別する、と、複数のＲＡＴのうちの１つを選択することと、選択されたＲＡＴから、マルチキャストセッションに関連するデータのマルチキャストストリームを受信することとを行うプロセッサによって実行可能でありうる。
【００１１】
[0011]ワイヤレス通信におけるデータのブロードキャストを管理する装置がさらに記述される。装置は、マルチキャストセッションに参加するための要求を受信するための手段と、マルチキャストセッションに関連する複数のブロードキャスト技術ベースの識別子を受信するための手段、ここにおいて、各ブロードキャスト技術ベースの識別子は、マルチキャストセッションをブロードキャストする複数の無線アクセス技術（ＲＡＴ）のうちの１つを識別する、と、複数のＲＡＴのうちの１つを選択するための手段と、選択されたＲＡＴから、マルチキャストセッションに関連するデータのマルチキャストストリームを受信するための手段とを含みうる。
【００１２】
[0012]ワイヤレス通信におけるデータのブロードキャストを管理するためのコンピュータプログラム製品がさらに記述される。コンピュータプログラム製品は、マルチキャストセッションに参加するための要求を受信することと、マルチキャストセッションに関連する複数のブロードキャスト技術ベースの識別子を受信すること、ここにおいて、各ブロードキャスト技術ベースの識別子は、マルチキャストセッションをブロードキャストする複数の無線アクセス技術（ＲＡＴ）のうちの１つを識別する、と、複数のＲＡＴのうちの１つを選択することと、選択されたＲＡＴから、マルチキャストセッションに関連するデータのマルチキャストストリームを受信することと行うようにプロセッサによって実行可能な命令を記憶する非一時的コンピュータ記憶媒体を含みうる。
【００１３】
[0013]記述された方法および装置の適用性のさらなる範囲は、以下の詳細な説明、特許請求の範囲、および図面から明らかになることになる。詳細な説明および具体的な例は、詳細な説明の範囲およびスピリット内の様々な変更および修正が当業者にとって明らかとなるために、説明するためだけに与えられている。
【図面の簡単な説明】
【００１４】
[0014]本発明の本質および利点のさらなる理解が、以下の図面を参照することによって実現されうる。添付の図面では、同様なコンポーネントまたは特徴は、同じ参照ラベルを有しうる。さらに、同じタイプの様々なコンポーネントは、同様なコンポーネントから区別する点線による参照ラベルおよび第２のラベルに従って区別されうる。本明細書内において第１の参照ラベルのみが使用される場合、本記載は、第２の参照ラベルに関係なく同じ第１の参照ラベルを有する同様なコンポーネントのいずれかの１つに適用される。
【図１】ワイヤレス通信システムのブロック図を示す図。
【図２】ワイヤレス通信システムにおける機能性を実装するためのブロードキャスト管理デバイスの例のブロック図を示す図。
【図３】ブロードキャスト管理デバイスの機能性を実装するためのアプリケーションプロセッサモジュールおよびモデムプロセッサモジュールの例のブロック図を示す図。
【図４】ブロードキャスト管理デバイスの機能性を実装のためのマルチキャストセッション解析モジュールおよびブロードキャスト技術識別モジュールの例のブロック図を示す図。
【図５】ワイヤレス通信システム中にブロードキャストされたマルチキャストコンテンツを管理するために様々なモジュールの１つの実施形態を説明するブロック図を示す図。
【図６】基地局とユーザ機器（ＵＥ）との間の接続プロシージャのメッセージフローチャートである図。
【図７】基地局と様々なＵＥとを含む通信システムのブロック図である図
【図８】様々な実施形態に従って技術識別子をマッピングするために構成されうる通信システムのブロック図である図。
【図９】様々な実施形態に従って技術識別子をマッピングするための方法のフローチャートである図。
【図１０】データのマルチキャストストリームを運ぶための方法のフローチャートである図。
【図１１】現在のシステムおよび方法に従って複数のデータのマルチキャストストリームをトランスポートするための方法のフローチャートである図。
【図１２】様々な実施形態に従って複製されたデータのマルチキャストストリームをブロードキャストするための方法のフローチャートである図。
【発明を実施するための形態】
【００１５】
[0027]基地局は、マルチキャストインターネットプロトコル（ＩＰ）データストリーム中のマルチメディアコンテンツのあるチャネルをそのセル内でブロードキャストしうる。基地局のセル内のセルラ方式が使用可能なモバイルデバイスは、基地局によってブロードキャストされたチャネルのうちの１つまたは複数に加入しうる。加えて、セルラ方式が使用不可能なモバイルデバイス（またはセルラ性能がディスエーブルされたデバイス）のユーザはさらに、データルータ（例えばワイヤレスローカルエリアネットワーク（ＷＬＡＮ）ルータ）を通じておよび／またはデータカード（例えば、ユニバーサルシリアルバス（ＵＳＢ）接続を持つデータカード）を通じて基地局によってブロードキャストされた１つまたは複数のチャネルに応募しうる。ルータおよび／またはデータカードは、基地局によって使用されるブロードキャスト技術（例えば、ＣＤＭＡ、エンハンスドマルチメディアブロードキャストマルチキャストサービス（ｅＭＢＭＳ）、等）を識別するために使用される識別子に、特定のマルチキャストセッション（またはチャネル）を識別するマルチキャストＩＰ識別子をマップしうる。その後、ルータおよび／またはデータカードは、ブロードキャスト技術識別子に従ってマルチキャストデータストリームを受信しうる。ルータおよび／またはデータカードは、要求デバイスに受信したマルチキャストストリームを中継しうる。いくつかの構成では、ルータは、同じマルチキャストデータストリームを要求するいくつかの異なるデバイスに同じデータストリームを提供するためにマルチキャストデータストリームを複製しうる。
【００１６】
[0028]以下の記述は、例を提供するものであり、特許請求の範囲において説明される範囲、適用性、あるいは構成を限定するものではない。変更は、本開示のスピリットおよび範囲から逸脱することなく、議論される要素の機能および配置においてなされうる。様々な実施形態は、必要に応じて、様々なプロシージャまたはコンポーネントを省略、代用、または追加しうる。例えば、記述される方法は、記述されるものとは異なる順序で実行されることができ、様々なステップが追加、省略、あるいは組み合されうる。また、ある特定の実施形態に関して記述される特徴は、他の実施形態内において組み合わされうる。
【００１７】
[0029]図１を最初に参照すると、ブロック図がワイヤレス通信システム１００の例を説明する。システム１００は、基地局（またはセル）１０５と、通信デバイス１１５と、コアネットワーク１３０とを含む。基地局１０５は、様々な実施形態におけるコアネットワーク１３０または基地局１０５の一部である、基地局制御器の制御の下で通信デバイス１１５と通信しうる。基地局１０５は、バックホールリンク１３２を通じてコアネットワーク１３０と制御情報および／またはユーザデータを通信しうる。いくつかの実施形態では、基地局１０５は、ワイヤードまたはワイヤレス通信リンクでありうる、バックホールリンク１３４にわたり互いに、直接または間接的に通信しうる。システム１００は、複数のキャリア（異なる周波数の波形信号）上の動作をサポートしうる。マルチキャリア送信機は、複数のキャリア上で変調された信号を同時に送信することができる。例えば、各通信リンク１２５は、様々な無線技術に従って変調されたマルチキャリア信号でありうる。各変調された信号は、異なるキャリア上で送られ、制御情報（例えば、基準信号、制御チャネル、等）、オーバヘッド情報、データ、等を搬送しうる。
【００１８】
[0030]基地局１０５は、１つまたは複数の基地局アンテナを介してデバイス１１５とワイヤレスに通信しうる。各基地局１０５サイトは、それぞれの地理的なエリア１１０のための通信カバレージを提供しうる。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅＮｏｄｅＢまたはｅＮＢ）、ホームノードＢ、ホームｅＮｏｄｅＢ、または他のある適切な用語と称されうる。基地局のためのカバレージエリア１１０は、カバレージエリアの一部のみを構成するセクタに分割されうる。システム１００は、異なるタイプの基地局１０５（例えば、マクロ基地局、マイクロ基地局、および／またはピコ基地局）を含みうる。異なる技術のためにカバレージエリアがオーバーラップすることがありうる。１つの実施形態では、基地局１０５は、データストリームをブロードキャストしうる。各データストリームは、少なくとも１つのマルチキャストセッションに関連しうる。１つの例では、各データストリームは、関連するデータストリームのコンテンツについて受信デバイスに通知する制御情報を含みうる。受信デバイスは、対応するマルチキャストデータストリームのブロードキャストを受信するべきか否かを決定するために制御情報を分析しうる。
【００１９】
[0031]いくつかの実施形態では、システム１００は、ＬＴＥ／ＬＴＥ−Ａネットワークでありうる。加えて、または代替として、システム１００は、無認可の帯域を利用する無線アクセス技術または無認可の周波数スペクトルを含みうる。ＬＴＥ／ＬＴＥ−Ａネットワークでは、用語、発展型ノードＢ（ｅＮＢ）およびユーザ機器（ＵＥ）は、基地局１０５およびデバイス１１５それぞれを記述するために一般に使用されうる。システム１００は、異なるタイプのｅＮＢｓが様々な地理的領域に対してカバレージを提供する異種のＬＴＥ／ＬＴＥ−Ａネットワークでありうる。例えば、各基地局１０５は、マクロセル、ピコセル、フェムトセル、および／または他のタイプのセルのための通信カバレージを提供しうる。１つの例では、ＬＴＥフェムトセルは、システム１００で使用されうる。マクロセルは、概して、相対的に広い地理的領域（たとえば、半径数キロメートル）をカバーし、ネットワークプロバイダに対してサービス加入を持つＵＥによる制限のないアクセスを可能にしうる。ピコセルは、概して、相対的により狭い地理的領域をカバーし、ネットワークプロバイダに対してサービス加入を持つＵＥによる制限のないアクセスを可能にしうる。フェムトセルもまた、概して、相対的に狭い地理的領域（たとえば、家）をカバーし、制限のないアクセスに加え、フェムトセルとの関連付けを有するＵＥ（たとえば、クローズドサブスクライバグループ（ＣＳＧ）の中のＵＥ、家の中のユーザのためのＵＥ、等）による制限されたアクセスをさらに提供し得る。マクロセルのためのｅＮＢは、マクロｅＮＢと称されうる。ピコセルのためのｅＮＢは、ピコｅＮＢと称されうる。また、フェムトセルのためのｅＮＢは、フェムトｅＮＢまたはホームｅＮＢと称されうる。ｅＮＢは、１つまたは複数の（例えば２つ、３つ、４つ、等の）セルをサポートしうる。
【００２０】
[0032]コアネットワーク１３０は、バックホール１３２（例えば、Ｓ１、等）を介してｅＮＢ１０５と通信しうる。ｅＮＢ１０５はさらに、例えば、バックホールリンク１３４（例えば、Ｘ２、等）を介しておよび／またはバックホールリンク１３２を介して（例えば、コアネットワーク１３０を通じて）互いに通信しうる。ワイヤレスネットワーク１００は、同期または非同期動作をサポートしうる。同期動作について、ｅＮＢｓは、類似のフレームタイミングを有し、異なるｅＮＢｓからの送信は、おおよそ時間的に整列され得る。非同期動作について、ｅＮＢは、異なるフレームタイミングを有し、異なるｅＮＢからの送信は、時間的に整列されえない。本明細書に記述される技術は、同期または非同期動作のいずれかのために使用されうる。
【００２１】
[0033]ＵＥ１１５は、ワイヤレスネットワーク１００全体に分散され、各ＵＥは、固定またはモバイルでありうる。ＵＥ１１５はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語として称されうる。ＵＥは、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等でありうる。ＵＥは、マクロｅＮＢ、ピコｅＮＢ、フェムトｅＮＢ、中継器、等と通信することが可能でありうる。１つの実施形態では、（ラップトップ、ＰＤＡ、携帯電話、等のような）デバイス１１５は、マルチキャストＩＰ識別子によって識別される特定のマルチキャストセッションに参加するための要求を送信しうる。要求（およびマルチキャストＩＰ識別子）は、デバイス１１５に接続されたルータおよび／またはデータカードに送られうる。ルータおよび／またはデータカードは、ブロードキャスト技術識別子にマルチキャストＩＰ識別子をマップしうる。技術識別子は、望まれるマルチキャストセッションのためのマルチキャストデータストリームを提供するブロードキャスト技術を選択するために使用されうる。マルチキャストデータストリームのための制御情報は、選択されたブロードキャスト技術を実装する基地局から受信されうる。制御情報を識別した後、ルータおよび／またはデータカードは、識別された制御情報に対応するマルチキャストデータストリームを受信しうる。ルータおよび／またはデータカードは、デバイス１１５にマルチキャストデータストリームに対するアクセスを提供しうる。例えば、ルータは、デバイス１１５にマルチキャストデータストリームを中継しうる。
【００２２】
[0034]ネットワーク１００中に示される送信リンク１２５は、モバイルデバイス１１５から基地局へのアップリンク（ＵＬ）送信、および／または基地局１０５からモバイルデバイス１１５へのダウンリンク（ＤＬ）送信を含みうる。ダウンリンク送信はさらに、順方向リンク送信と呼ばれる一方、アップリンク送信はさらに、逆方向リンク送信と呼ばれうる。モバイルデバイス１１５は、特定の基地局１０５と通信するために接続要求を送りうる。セルが輻輳した場合、基地局１０５は、要求を拒絶しうる。拒絶を受信した後、モバイル局１１５は、追加の輻輳を加えることを避けるためにいつ接続要求を再送達するべきであるかを制御しうる。ワイヤレスネットワーク１００がＬＴＥ／ＬＴＥ−Ａｄｖａｎｃｅｄアーキテクチャに関連して記述されているが、本開示全体にわたって表される様々なコンセプトは、他のタイプのワイヤレスネットワークに拡張されうることを、当業者は、容易に認識することになる。
【００２３】
[0035]図２は、図１のワイヤレス通信システム１００における機能性を実装するためのブロードキャスト管理デバイス２０５の例のブロック図２００を示す。基地局１０５−ａおよびＵＥ１１５−ａは、図１の基地局１０５およびＵＥ１１５それぞれの例でありうる。描写された構成要素の各々は、互いに通信しうる。
【００２４】
[0036]１つの実施形態では、ブロードキャスト管理デバイス２０５は、ブロードキャスト技術を使用する基地局１０５−ａによってブロードキャストされたマルチキャストセッションに参加するためにＵＥ１０５−ａからの要求を受信しうる。マルチキャストセッションは、マルチキャストＩＰアドレスによって識別されうる。いくつかの実施形態では、ＵＥ１１５−ａは、セルラ方式の機能を欠くコンピューティングデバイス、またはセルラ方式の機能を持つコンピューティングデバイスでありうるが、データルータまたはデータカード通じてブロードキャスト管理デバイス２０５に接続される。いくつかの構成では、ブロードキャスト管理デバイス２０５は、データルータ中に位置されうる。追加として、または代替として、ブロードキャスト管理デバイス２０５は、データカード（例えば、ＵＳＢ接続を持つデータカード）中に位置されうる。１つの例では、ブロードキャスト管理デバイス２０５は、ＷＬＡＮルータ中に位置されうる。追加として、または代替として、ブロードキャスト管理デバイス２０５は、ＷＬＡＮルーティング機能を持つモバイルデバイス（例えば、ＵＥ１１５−ａ）中に位置されうる。
【００２５】
[0037]ある実施形態では、ブロードキャスト管理デバイス２０５は、第１のマルチキャストＩＰアドレスによって識別された第１のマルチキャストのセッションに参加するために、第１のデバイス（例えば、ＵＥ１１５−ａ）から第１の要求を受信し、第２のマルチキャストＩＰアドレスによって識別された第２のマルチキャストセッションに参加するために、第２のデバイス（例えば、ＵＥ１１５−ａと異なるＵＥデバイス）から第２の要求を受信しうる。いくつかの構成では、第２のマルチキャストＩＰアドレスは、第１のマルチキャストＩＰアドレスと異なりうる。代替として、第１および第２のマルチキャストＩＰアドレスは、同じＩＰアドレスでありうる。
【００２６】
[0038]いくつかの実施形態では、ブロードキャスト管理デバイス２０５は、マルチキャストＩＰアドレスとブロードキャスト技術ベースの識別子との間の関連性を識別しうる。ブロードキャスト技術ベースの識別子は、特定のブロードキャスト技術を識別しうる。その後、デバイス２０５は、ブロードキャスト技術ベースの識別子によって識別されたブロードキャスト技術に従ってマルチキャストセッションをブロードキャストしている基地局からのマルチキャストセッションを識別し受信しうる。ブロードキャスト管理デバイス２０５は、要求されたマルチキャストデータストリームをデバイスに中継しうる。
【００２７】
[0039]図３は、ブロードキャスト管理デバイス２０５−ａの例のブロック図３００を示す。デバイス２０５−ａは、図２において記述された、ブロードキャスト管理デバイス２０５の例でありうる。１つの例では、デバイス２０５−ａは、アプリケーションプロセッサモジュール３１０およびモデムプロセッサモジュール３１５を含みうる。モジュール３１０および３１５は、受信機モジュール３０５および送信機モジュール３２０と通信しうる。構成要素の各々は、互いに通信しうる。
【００２８】
[0040]ブロードキャスト管理デバイス２０５−ａの構成要素は、ハードウェア中に適用可能な機能のうちのいくつかまたはすべてを実行するように適合された１つまたは複数の特定用途向けＩＣ（ＡＳＩＣ）で、個別にまたは集合的に実装される。代替として、機能は、１つまたは複数の集積回路上で１つまたは複数の他の処理ユニット（またはコア）によって実行されうる。他の実施形態では、他のタイプの集積回路（例えば、構造化／プラットフォームＡＳＩＣ、フィールドプログラマブルゲートアレイ（ＦＰＧＡ）、および他の半カスタムＩＣ）が使用され、それは、当該技術分野において任意の既知の方法でプログラムされうる。各ユニットの機能はさら、全体的または部分的に、メモリ内に具体化される命令で実装され、１つまたは複数の汎用または特定用途向けのプロセッサによって実行されるためにフォーマットされうる。
【００２９】
[0041]１つの構成では、受信機モジュール３０５は、マルチキャストセッションに参加するために、ＵＥ１１５のような、デバイスから要求を受信しうる。受信機モジュール３０５はさらに、基地局１０５からマルチキャストデータストリームを受信しうる。１つの例では、デバイス１１５は、あるＩＰアドレスからブロードキャストしているマルチメディアを受信するために、ブロードキャスト管理デバイスに要求を送信しうる。アプリケーションプロセッサモジュール３１０およびモデムプロセッサモジュール３１５は、ワイヤレス通信ネットワーク中の基地局１０５からのブロードキャストを取り出すために、デバイス１１５からの要求の送信を制御しうる。
【００３０】
[0042]１つの実施形態では、アプリケーションプロセッサモジュール３１０は、どのブロードキャスト技術が利用可能かについてモデムプロセッサモジュール３１５にクエリしうる。１つの例では、モデムプロセッサモジュール３１５は、モデムプロセッサモジュール３１５で受信されるために現在利用可能なブロードキャスト技術をアプリケーションプロセッサモジュール３１０に通知するためにクエリに応答しうる。ある場合には、モデム３１５は、アプリケーションプロセッサモジュール３１０からのクエリを受信せずにどのブロードキャスト技術が利用可能かアプリケーションプロセッサモジュールに通知しうる。例として、１ｘネットワークおよびＬＴＥネットワークにわたるブロードキャストは、モデムプロセッサモジュール３１５で両方とも利用可能でありうる。モデム３１５は、データのマルチキャストストリームを提供するためにこれら二つの異なる無線アクセス技術（ＲＡＴ）が現在利用可能であることをアプリケーションプロセッサモジュール３１０に通知しうる。１つの構成では、モデムプロセッサモジュール３１５は、アプリケーションプロセッサモジュール３１０へのブロードキャスト技術ベースの識別子のリストを渡しうる。リスト上の各識別子は、モデム３１５に現在ブロードキャストしている特定のＲＡＴを識別しうる。アプリケーションプロセッサモジュール３１０は、各ＲＡＴによって送信される異なるチャネル（つまり、制御情報）についてモデム３１５にさらにクエリしうる。１ｘネットワークおよびＬＴＥネットワークに関連するブロードキャスト技術が記述されるが、現在のシステムおよび方法は、限定されないがＭｅｄｉａＦＬＯ、ＷｉＭＡＸ、等のような他のブロードキャスト技術で実装されうることが理解されるべきである。
【００３１】
[0043]１つの構成では、アプリケーションプロセッサ３１０がマルチキャストセッションに参加するための要求を受信する場合、アプリケーションプロセッサ３１０は、要求されたマルチキャストセッションのための制御情報を識別する帯域外シグナリングを受信しうる。アプリケーションプロセッサ３１０は、マルチキャストＩＰアドレスをブロードキャスト技術ベースの識別子に変換しうる（またはマップしうる）。ブロードキャスト技術ベースの識別子は、特定のブロードキャスト技術を識別しうる。例えば、アプリケーションプロセッサ３１０は、モデムプロセッサモジュール３１５がＣＤＭＡベースのＲＡＴおよびｅＭＢＭＳベースのＲＡＴからのブロードキャストを受信することができることに気付いていうる。アプリケーションプロセッサモジュール３１０はさらに、各ＲＡＴから現在送信されている異なるチャネル（つまり制御情報）に気付いていうる。１つの構成では、アプリケーションプロセッサモジュール３１０は、利用可能なＲＡＴのうちの１つを選択しうる。帯域外シグナリングを使用して、アプリケーションプロセッサモジュール３１０は、所望のマルチキャストセッションに対応する、選択されたＲＡＴによって送信された制御情報を識別しうる。アプリケーションプロセッサモジュール３１０は、選択されたＲＡＴのブロードキャスト技術ベースの識別子にマルチキャストＩＰアドレスをマップしうる。アプリケーションプロセッサモジュール３１０は、モデムプロセッサモジュール３１５に所望のマルチキャストセッションのための制御情報およびブロードキャスト技術ベースの識別子を転送しうる。技術識別子および制御情報を使用して、モデムプロセッサモジュール３１５は、選択されたＲＡＴに従って送信する基地局からデータの対応するマルチキャストストリームを受信しうる。モデムプロセッサモジュール３１５は、受信機モジュール３０５を通じて基地局１０５からデータのマルチキャストストリームを受信しうる。
【００３２】
[0044]ブロードキャスト管理デバイス２０５−ａは、送信機モジュール３２０を通じてデバイス１１５にデータのマルチキャストストリームを送信しうる。１つの例では、送信機モジュール３２０は、セルラ方式の送信機を含みうる。ブロードキャスト管理デバイス２０５−ａは、基地局１０５に送信機モジュール３２０を介して接続要求を送信または転送しうる。アプリケーションプロセッサモジュール３１０およびモデムプロセッサモジュール３１５に関するさらなる詳細が以下に記述されることになる。
【００３３】
[0045]図４は、ブロードキャスト管理デバイス２０５−ｂのブロック図４００を示す。ブロードキャスト管理デバイス２０５−ｂは、図２および／または図３において記述されたブロードキャスト管理デバイス２０５の例でありうる。１つの例では、デバイス２０５−ｂは、アプリケーションプロセッサモジュール３１０−ａおよびモデムプロセッサモジュール３１５−ａを含みうる。アプリケーションプロセッサモジュール３１０−ａおよびモデムプロセッサモジュール３１５−ａは、図２において記述されたモジュール３１０および３１５の例でありうる。１つの例では、アプリケーションプロセッサモジュール３１０−ａは、マルチキャストセッション分析モジュール４０５を含みうる。モデムプロセッサモジュール３１５−ａは、ブロードキャスト技術識別子モジュール４１０を含みうる。描写された構成要素の各々は、互いに通信しうる。
【００３４】
[0046]ブロードキャスト管理デバイス２０５−ｂの構成要素は、ハードウェア中に適用可能な機能のうちのいくつかまたはすべてを実行するように適合された１つまたは複数の特定用途向けＩＣ（ＡＳＩＣ）で、個別にまたは集合的に実装される。代替として、機能は、１つまたは複数の集積回路上で、１つまたは複数の他の処理ユニット（またはコア）によって実行されうる。他の実施形態では、他のタイプの集積回路（例えば、構造化／プラットフォームＡＳＩＣ、フィールドプログラマブルゲートアレイ（ＦＰＧＡ）、および他の半カスタムＩＣ）が使用され、それは、当該技術分野において任意の既知の方法でプログラムされうる。各ユニットの機能はさら、全体的または部分的に、メモリ内に具体化される命令で実装され、１つまたは複数の汎用または特定用途向けのプロセッサによって実行されるためにフォーマットされうる。
【００３５】
[0047]１つの構成では、受信機モジュール３０５は、ＵＥ  １１５から要求を受信しうる。要求は、マルチキャストセッションに参加するための要求を含みうる。マルチキャストセッションは、マルチキャストＩＰアドレスによって識別されうる。いくつかの実施形態では、マルチキャストセッション分析モジュール４０５は、マルチキャストセッションに参加するＵＥ１１５からの要求を分析しうる。マルチキャストセッション分析モジュール４０５は、マルチキャストセッションのマルチキャストＩＰアドレスを識別しうる。１つの実施形態では、マルチキャストセッション分析モジュール４０５は、識別されたマルチキャストＩＰアドレスとブロードキャスト技術識別子との間の関連性を識別しうる。いくつかの場合には、マルチキャストセッション分析モジュール４０５は、識別されたマルチキャストＩＰアドレスをブロードキャスト技術識別子に変換しうる。モジュール４０５はさらに、要求されたマルチキャストセッションの制御情報を識別しうる。アプリケーションプロセッサモジュール３１０−ａは、モデムプロセッサモジュール３１５−ａにブロードキャスト技術識別子および制御情報を伝達しうる。
【００３６】
[0048]１つの構成では、ブロードキャスト技術識別子モジュール４１０は、マルチキャストＩＰアドレスに関連する識別子を受信しうる。ブロードキャスト技術識別子モジュール４１０は、受信機モジュール３０５を介して、ブロードキャスト技術ベースの識別子によって識別されたブロードキャスト技術を使用して、基地局１０５から送信された少なくとも１つのマルチキャストデータストリームのための制御情報を受信しうる。１つの構成では、モジュール４１０は、所望のマルチキャストセッションを送信している異なる無線アクセス技術（ＲＡＴ）を各々識別する、複数のブロードキャスト技術ベースの識別子を受信する。モデム３１５−ａは、複数のＲＡＴの間を仲裁し、１つまたは複数の条件（例えば、最大レート、チャネル条件、等）に基づいてＲＡＴを選択しうる。制御情報は、マルチキャストデータストリームを識別し、ブロードキャスト技術ベースの識別子は、基地局１０５によって実装されるブロードキャスト技術を識別しうる。
【００３７】
[0049]識別子によって識別された技術に従って送信されている（制御情報から）所望のマルチキャストデータストリームを識別した後、ブロードキャスト技術識別子モジュール４１０は、モデムプロセッサモジュール３１５−ａとアプリケーションプロセッサモジュール３１０−ａとの間の専用ＩＰ接続を生成し、それにわたって要求されたマルチキャストセッションがストリーミングされる。モデムプロセッサモジュール３１５−ａは、マルチキャストデータストリームを受信し、専用ＩＰ接続を介してアプリケーションプロセッサモジュール３１０にストリームを転送し、アプリケーションプロセッサモジュール３１０−ａは、マルチキャストセッションに参加することを要求した少なくともＵＥ１１５に、送信機モジュール３２０を介してストリームを送信しうる。
【００３８】
[0050]図５は、現在のシステムおよび方法に従ってブロードキャスト管理デバイス２０５−ｃの１つの実施形態を説明するブロック図５００を示す。ブロードキャスト管理デバイス２０５−ｃは、図２、図３、および／または図４において記述されたブロードキャスト管理デバイス２０５の例でありうる。前に記述されたように、デバイス２０５−ｃは、アプリケーションプロセッサモジュール３１０−ｂおよびモデムプロセッサモジュール３１５−ｂを含みうる。アプリケーションプロセッサモジュール３１０−ｂは、前に記述されたように、マルチキャストセッション分析モジュール４０５−ａを含み、モデムプロセッサモジュール３１５−ｂは、ブロードキャスト技術識別子モジュール４１０−ａを含みうる。１つの構成では、マルチキャストセッション分析モジュール４０５−ａは、マルチキャストＩＰアドレス識別子モジュール５０５、マッピングモジュール５１０、および複製モジュール５１５を含みうる。１つの実施形態では、ブロードキャスト技術識別子モジュール４１０−ａは、制御情報識別子モジュール５２０、生成モジュール５２５、およびトランスポートモジュール５３０を含みうる。構成要素の各々は、互いに通信しうる。
【００３９】
[0051]ブロードキャスト管理デバイス２０５−ｃの構成要素は、ハードウェア中に適用可能な機能のうちのいくつかまたはすべてを実行するように適合された１つまたは複数の特定用途向けＩＣ（ＡＳＩＣ）で、個別にまたは集合的に実装される。追加として、または代替として、機能は、１つまたは複数の集積回路上で、１つまたは複数の他の処理ユニット（またはコア）によって実行されうる。他の実施形態では、他のタイプの集積回路（例えば、構造化／プラットフォームＡＳＩＣ、フィールドプログラマブルゲートアレイ（ＦＰＧＡ）、および他の半カスタムＩＣ）が使用され、それは、当該技術分野において任意の既知の方法でプログラムされうる。各ユニットの機能はさら、全体的または部分的に、メモリ内に具体化される命令で実装され、１つまたは複数の汎用または特定用途向けのプロセッサによって実行されるためにフォーマットされうる。
【００４０】
[0052]１つの例では、１つまたは複数の基地局は、マルチメディアコンテンツ（例えば、ビデオ、音楽、等）を搬送する、１つまたは複数のチャネルを送信しうる。１つまたは複数の基地局は、異なるまたは同じ送信技術（ｅＭＢＳ、ＣＤＭＡ、等）を使用してチャネルを送信しうる。各チャネルは、特定のマルチキャストＩＰアドレスによって識別されうる。いくつかのデバイス（例えばラップトップ、ＰＤＡ、等）は、基地局から直接的にチャネルのデータのマルチキャストストリームを受信することができえない。例えば、ユーザは、基地局１０５との直接通信を無効にする、またはデバイスは、特定のブロードキャスト技術に従う送信を受信する能力を含みえない。
【００４１】
[0053]ブロードキャスト管理デバイス２０５−ｃは、送信機モジュール３２０を介してデバイスにチャネルのマルチキャストデータストリームを送信しうる。１つの構成では、マルチキャストセッション分析モジュール４０５−ａは、マルチキャストＩＰアドレスによって識別されたマルチキャストセッションに参加するための要求をデバイスから受信しうる。マルチキャストＩＰアドレス識別子モジュール５０５は、マルチキャストＩＰアドレスを識別するために要求を分析しうる。マッピングモジュール５１０は、識別されたマルチキャストＩＰアドレスとブロードキャスト技術ベースの識別子との間の関連性を識別しうる。いくつかの場合には、マッピングモジュール５１０は、識別されたマルチキャストＩＰアドレスをブロードキャスト技術ベースの識別子に変換、またはマップしうる。ブロードキャスト技術ベースの識別子は、データのマルチキャストストリームをブロードキャストするために１つまたは複数の基地局によって使用されるブロードキャスト技術の特定タイプを識別しうる。いくつかの実施形態では、マルチキャストセッションに関連するデータのマルチキャストストリームは、ロングタームエボリューション（ＬＴＥ）フェムトセルまたはホームｅＮｏｄｅＢ（ＨｅＮＢ）を介して受信されうる。１つの例では、マルチキャストセッションに関連するデータのマルチキャストストリームの少なくとも一部は、認可または無認可の周波数スペクトルを使用して受信されうる。いくつかの場合には、無認可の帯域は、認可された帯域中のキャリア上で動作するプライマリセルに関連する補助ダウンリンク（ＳＤＬ）として使用されうる。いくつかの場合には、無認可の帯域は、８０２．１１ワイヤレス技術のような異なるワイヤレス技術と共有された使用構成中で使用されうる。
【００４２】
[0054]アプリケーションプロセッサモジュール３１０−ｂは、識別されたブロードキャスト技術のための制御情報を識別しうる。制御情報は、要求されたマルチキャストセッションに関連しうる。アプリケーションプロセッサモジュール３１０−ｂは、モデムプロセッサモジュール３１５−ｂに識別した制御情報と、ブロードキャスト技術ベースの識別子とを転送しうる。制御情報識別子モジュール５２０は、１つまたは複数のＲＡＴ（例えば、グローバルシステムフォーモバイルコミュニケーション（ＧＳＭ（登録商標））、ユニバーサルモバイルテレコミュニケーションシステム（ＵＭＴＳ）、ロングタームエボリューション（ＬＴＥ）、等）から受信された制御情報を識別するためにアプリケーションプロセッサ３１０−ｂから受信された制御情報を使用しうる。いくつかの実施形態では、モデムプロセッサモジュール３１５−ｂは、複数のＲＡＴのうちの１つからブロードキャストされたデータの要求されたマルチキャストストリームのための制御情報を受信しうる。
【００４３】
[0055]いくつかの構成では、制御情報は、ｅＭＢＭＳブロードキャスティング技術に従ってブロードキャストされているあるチャネル（つまり、マルチキャストデータストリーム）を識別するために使用されるテンポラリモバイルグループアイデンティティ（ＴＭＧＩ）を含みうる。制御情報識別子モジュール５２０は、制御情報が所望のマルチキャストデータストリームに関連すると決定しうる。その後、モデムプロセッサモジュール３１５−ｂは、制御情報に関連する所望のマルチキャストデータストリームを受信しうる。所望のマルチキャストデータストリームは、ブロードキャスト技術識別子に従って特定のＲＡＴからブロードキャストされうる。いくつかの構成では、生成モジュール５２５は、モデムプロセッサモジュール３１５−ａとアプリケーションプロセッサモジュール３１０−ｂとの間で１つまたは複数の専用ＩＰチャネル（つまりＩＰパイプ）を生成しうる。トランスポートモジュール５３０は、専用ＩＰチャネルを使用して、アプリケーションプロセッサモジュール３１０−ｂに受信したデータのマルチキャストストリームをトランスポートしうる。アプリケーションプロセッサモジュール３１０−ａは、マルチキャストセッションに参加するために要求したデバイスにデータのマルチキャストストリームを送信しうる。
【００４４】
[0056]いくつかの実施形態では、複数のデバイスは、同じマルチキャストセッションに参加することを要求しうる。マルチキャストセッション分析モジュール４０５−ａは、複製モジュール５１５を含みうる。モデムプロセッサモジュール３１５−ｂからの所望のマルチキャストデータストリームを受信した後、複製モジュール５１５は、ストリームを複製しうる。結果として、データストリームの複数コピーは、複数のデバイスの各々に対して送信されうる。
【００４５】
[0057]１つの例において、マルチキャストセッション分析モジュール４０５−ａは、マルチキャストＩＰアドレスによって識別されたマルチキャストセッションに参加するために別個のエンティティ（例えば２つ以上のデバイス）から受信された多くの要求を識別しうる。１つの実施形態では、マッピングモジュール５１０は、識別されたマルチキャストＩＰアドレスとブロードキャスト技術ベースの識別子との間の関連性を識別しうる。いくつかの場合には、マッピングモジュール５１０は、識別されたマルチキャストＩＰアドレスをブロードキャスト技術ベースの識別子に変換またはマップしうる。アプリケーションプロセッサモジュール３１０−ｂは、モデムプロセッサモジュール３１５−ｂにブロードキャスト技術ベースの識別子（およびマルチキャストセッションのデータストリームのための制御情報）を転送しうる。制御情報識別モジュール５２０は、識別子によって示されたブロードキャスト技術に従って複数のＲＡＴのうちの１つから受信された制御情報を識別するために制御情報を使用しうる。識別された制御情報に対応するマルチキャストデータストリームは、専用ＩＰパイプを介してアプリケーションプロセッサモジュール３１０−ｂにトランスポートされうる。複製モジュール５１５は、別個のエンティティから受信した識別された多数の要求に少なくとも一部分基づいてデータの１つまたは複数のストリームにデータのマルチキャストストリームを複製しうる。ブロードキャスト管理デバイス２０５ｃは、同じマルチキャストセッションに参加することを要求した識別された別個のエンティティに複製されたデータのマルチキャストストリームを送信しうる。
【００４６】
[0058]いくつかの実施形態では、２つ以上のデバイスは、異なるマルチキャストセッションに参加することを要求しうる。１つの例では、ブロードキャスト管理デバイス２０５−ｃは、複数の要求を受信し、各デバイスが個々の特定の要求に関連するマルチキャストセッションから送信されたコンテンツを受信することができるようにしうる。マルチキャストセッション分析モジュール４０５−ａは、第１のマルチキャストＩＰアドレスによって識別された第１のマルチキャストのセッションに参加するために、第１のデバイスから第１の要求を受信しうる。モジュール４０５−ａはさらに、第２のマルチキャストＩＰアドレスによって識別された第２のマルチキャストセッションに参加するために、第２のデバイスから第２の要求を受信しうる。１つの構成では、第２のマルチキャストＩＰアドレスは、第１のマルチキャストＩＰアドレスと異なりうる。マッピングモジュール５１０は、第１のマルチキャストＩＰアドレスと第１のブロードキャスト技術ベースの識別子との間の関連性を識別し、第２のマルチキャストＩＰアドレスと第２のブロードキャスト技術ベースの識別子との間の関連性を識別しうる。アプリケーションプロセッサモジュール３１０−ｂは、モデムプロセッサモジュール３１５−ｂに各マルチキャストセッションのためのデータストリームを識別する制御情報と第１および第２のブロードキャスト技術ベースの識別子とを転送しうる。制御情報識別子モジュール５２０は、あるブロードキャスト技術に従って複数のＲＡＴのうちの１つから受信された第１の制御情報を識別するために制御情報を使用しうる。モジュール５２０は、同じＲＡＴから受信された第２の制御情報を識別するために制御情報を使用しうる。モデムプロセッサモジュール３１５−ｂは、ＲＡＴから第１のデータのマルチキャストストリームを受信しうる。第１のデータのマルチキャストストリームは第１の制御情報に関連しうる。モデムプロセッサモジュール３１５−ｂはさらに、ＲＡＴから第２のデータのマルチキャストストリームを受信しうる。１つの実施形態では、第２のデータのマルチキャストストリームは、第２の制御情報に関連しうる。トランスポートモジュール５３０は、生成モジュール５２５によって生成された第１のＩＰパイプを介してアプリケーションプロセッサモジュール３１０−ｂに第１のデータのマルチキャストストリームをトランスポートしうる。トランスポートモジュール５３０はさらに、生成モジュール５２５によって生成された第２のＩＰパイプを介してアプリケーションプロセッサモジュール３１０−ｂに第２のデータのマルチキャストストリームをトランスポートしうる。その後、第１および第２のデータのマルチキャストストリームは、それぞれ第１および第２のデバイスに送信されうる。
【００４７】
[0059]図６は、基地局１０５−ｂとＵＥ１１５−ｂとの間の接続プロシージャのメッセージフローチャート６００である。ブロードキャスト管理（ＢＭ：broadcast managing）デバイス２０５−ｄは、基地局１０５−ｂとＵＥ１１５−ｂとの間の通信の少なくとも一部を容易にしうる。ブロードキャスト管理デバイス２０５−ｂは、ＵＥ１１５−ｂに接続され、ＵＥ１１５−ｂの一部でありうる。ブロードキャスト管理デバイス２０５−ｄは、図２、図３、図４、および／また図５において描写されたブロードキャスト管理デバイス２０５の１つの例でありうる。基地局１０５−ｂは、図１および／または図２において説明された基地局１０５の例でありうる。ＵＥ  １１５−ｂは、図１および／または図２において記述されたＵＥ１１５の例でありうる。
【００４８】
[0060]１つの例では、マルチキャスト（ＭＣ）セッション６０５に参加するための要求は、ＵＥ１１５−ｂから始まりうる。ブロードキャスト管理デバイス２０５−ｄは、ＵＥ１１５−ｂが基地局１０５−ｂと通信することを可能にするためにＵＥ１１５−ｂに代わって必要なシステム情報のブロードキャストを含む無線アクセスネットワーク（ＲＡＮ）プロシージャを処理し得る。マルチキャストセッションに参加するための要求６０５の送信に応じて、ブロードキャスト管理デバイス２０５−ｄは、マルチキャストセッションを識別するマルチキャストＩＰアドレスとブロードキャスト技術ベースの識別子との間の関連性を識別しうる６１０。マルチキャストＩＰアドレスとブロードキャスト技術ベースの識別子との間の関連性を識別した６１０後、ブロードキャスト管理デバイス２０５−ｄは、識別されたブロードキャスト技術に従って基地局１０５−ｂから制御情報を受信しうる。ブロードキャスト管理デバイス２０５−ｄは、制御情報がマルチキャストセッションの所望のマルチキャストデータストリームに関連すると決定しうる。ブロードキャスト管理デバイス２０５−ｄは、識別された制御情報に対応するデータのマルチキャストストリームを受信しうる６１５。データのマルチキャストストリームは、要求されたマルチキャストセッションに関連しうる。その後、ブロードキャスト管理デバイス２０５−ｄは、ＵＥ１１５−ｂにデータのマルチキャストストリームを送信しうる６２０。
【００４９】
[0061]図７は、基地局１０５ｃと、ブロードキャスト管理デバイス２０５−ｅと、複数のＵＥ１１５とを含む通信システムのブロック図７００である。１つの例では、基地局１０５ｃは、多くのサービス（つまり、マルチキャストセッション、サブスクリプションチャネル、等）をブロードキャストしうる。例えば、基地局１０５ｃは、サービス１  ７０５およびサービス２  ７１０をブロードキャストしうる。ブロードキャスト管理デバイス２０５−ｅは、アプリケーションプロセッサモジュール３１０ｃおよびモデムプロセッサモジュール３１５ｃを含みうる。基地局１０５ｃおよび様々なＵＥ１１５−ｃ−１乃至１１５−ｃ−４は、図１、図２、および／または図６において描写された基地局１０５およびＵＥ１１５の例でありうる。ブロードキャスト管理デバイス２０５−ｅは、図２、図３、図４、図５、および／または図６において記述されたブロードキャスト管理デバイス２０５の例でありうる。
【００５０】
[0062]いくつかの実施形態では、複数のＵＥ１１５のうちのいくつかは、同じマルチキャストセッションに参加することを要求し、その一方で他のＵＥは、異なるマルチキャストセッションに参加することを要求しうる。例えば、第１のＵＥ１１５−ｃ−１および第２のＵＥ１１５−ｃ−２は、サービス１と示されたマルチキャストセッションに参加することを望みうる。ブロードキャスト管理デバイス２０５−ｃは、第１のマルチキャリアセッションに参加するＵＥ１５−ｃ−１および１１５−ｃ−２からの要求を受信しうる。セッションは、第１のマルチキャストＩＰアドレスによって識別されうる。追加として、ブロードキャスト管理デバイス２０５−ｃは、第２のマルチキャストＩＰアドレスによって識別される第２のマルチキャストセッションに参加するＵＥ１１５−ｃ−３および１１５−ｃ−４からの要求を受信しうる。第２のマルチキャストＩＰアドレスは、第１のマルチキャストＩＰアドレスと異なりうる。アプリケーションプロセッサモジュール３１０−ｃは、第１および第２のマルチキャストＩＰアドレスとブロードキャスト技術ベースの識別子との間の関連性を識別しうる。アプリケーションプロセッサモジュール３１０−ｃは、第１および第２のマルチキャストセッションのためのデータストリームに関連する制御情報の識別子を含む帯域外シグナリングを受信しうる。アプリケーションプロセッサ３１０−ｃは、モデムプロセッサモジュール３１５−ｃにブロードキャスト技術ベースの識別子を転送しうる。モデムプロセッサモジュール３１５−ｃは、識別されたブロードキャスト技術に従ってサービス１のための基地局１０５ｃから受信された第１の制御情報を識別するために受信された制御情報およびブロードキャスト技術ベースの識別子を使用しうる。モデムプロセッサモジュール３１５−ｃは、識別されたブロードキャスト技術に従ってサービス２のための基地局１０５ｃから受信された第２の制御情報を識別するために制御情報およびブロードキャスト技術ベースの識別子を使用しうる。したがって、モデムプロセッサモジュール３１５−ｃは、サービス１  ７０５と第１の制御情報を関連付け、サービス２  ７１０と第２の制御情報を関連付けうる。いくつかの実施形態では、サービス１  ７０５は、第１のＴＭＧＩを含み、サービス２  ７１０は、第２のＴＭＧＩを含みうる。
【００５１】
[0063]ブロードキャスト管理デバイス２０５−ｅは、基地局１０５−ｃからサービス１  ７０５（例えば、第１のデータのマルチキャストストリーム）を受信しうる。以前に記述されたように、サービス１  ７０５は、第１の制御情報と関連しうる。デバイス２０５−ｃはさらに、基地局１０５−ｃからサービス２  ７１０（例えば、第２のデータのマルチキャストストリーム）を受信しうる。サービス２  ７１０は、第２の制御情報と関連しうる。ブロードキャスト管理デバイス２０５−ｅは、複製されたサービス１  ７１５−ａ、７１５−ｂ中にサービス１  ７０５を複製しうる。デバイス２０５−ｅはさらに、複製されたサービス２  ７２０−ａ、７２０−ｂ中にサービス２  ７１０を複製しうる。複製されたサービス１  ７１５−ａ、７１５−ｂは、第１のＵＥ１１５−ｃ−１および第２のＵＥ１１５−ｃ−２に送信されうる。同様に、複製されたサービス２  ７２０−ａおよび７２０−ｂは、第３のＵＥ１１５−ｃ−３および第４のＵＥ１１５−ｃ−４に送信されうる。
【００５２】
[0064]図８は、様々な実施形態に従うブロードキャストされたマルチキャストセッションを管理するために構成されうるブロードキャスト管理デバイス２０５−ｆのブロック図８００である。ブロードキャスト管理デバイス２０５−ｆは、データルータ（ＷＬＡＮルータ）、データカード、等でありうる。ブロードキャスト管理デバイス２０５−ｆは、モバイル動作を容易にするために、小さいバッテリーのような内部電源（図示せず）を有しうる。いくつかの実施形態では、ブロードキャスト管理デバイス２０５−ｆは、図２、図３、図４、図５、図６、および／または図７  のデバイス２０５の例でありうる。
【００５３】
[0065]ブロードキャスト管理デバイス２０５−ｆは、アンテナ８０５、トランシーバモジュール８１０、メモリ８１５、アプリケーションプロセッサモジュール３１０−ｄ、およびモデムプロセッサモジュール３１５−ｄを含みうる。現在のシステムおよび方法を実装するプロセッサモジュール３１０−ｄおよび３１５−ｄの構成要素の各々は、簡潔さのために本明細書で繰り返されえない。各構成要素は、（例えば、１つまたは複数のバスを介して）互いに、直接または間接的に通信しうる。トランシーバモジュール８１０は、以上で記述されるように、１つまたは複数のネットワークと、アンテナ８０５および／または１つまたは複数のワイヤードまたはワイヤレスリンクを介して、双方向に通信するように構成される。トランシーバモジュール８１０は、パケットを変調することと、送信するためのアンテナ８０５に変調したパケットを提供することと、アンテナ８０５から受信されたパケットを復調することとを行うように構成された（モデムプロセッサモジュール３１５−ｄのような）モデムを含みうる。ブロードキャスト管理デバイス２０５−ｆは、単一のアンテナを含み、ブロードキャスト管理デバイス２０５−ｆは、複数のリンクのための複数のアンテナ８０５を含みうる。
【００５４】
[0066]メモリ８１５は、ランダムアクセスメモリ（ＲＡＭ）およびリードオンリメモリ（ＲＯＭ）を含みうる。メモリ８１５は、実行されると、プロセッサモジュールに様々な機能を実行させるように構成された命令を包含するコンピュータ実行可能なソフトウェアコード８２０を記憶しうる。代替として、ソフトウェアコード８２０は、プロセッサモジュール３１０−ｄおよび３１５−ｄによって直接的に実行可能ではないが、（例えば、コンパイルされ実行されると）コンピュータに、本明細書に記述される機能を実行させるように構成されうる。
【００５５】
[0067]プロセッサモジュール３１０−ｄおよび３１５−ｄは、例えば、インテル（登録商標）コーポレーションまたはＡＭＤ（登録商標）によって作られるような中央処理装置（ＣＰＵ）、マイクロコントローラ、特定用途向け集積回路（ＡＳＩＣ）、等のようなインテリジェントハードウェアデバイスを含みうる。図８のアーキテクチャに従って、ブロードキャスト管理デバイス２０５−ｆは、通信管理モジュール８２５をさらに含みうる。通信管理モジュール８２５は、他のモバイルデバイス（例えばＵＥ１１５、基地局１０５、等）との通信を管理しうる。例の目的で、通信管理モジュール８２５は、バスを介してブロードキャスト管理デバイス２０５−ｆの他の構成要素のうちのいくつかまたはすべてとの通信するブロードキャスト管理デバイス２０５−ｆの構成要素でありうる。代替として、通信管理モジュール８２５の機能性は、トランシーバモジュール８１０の構成要素として、コンピュータプログラム製品として、および／またはプロセッサモジュール３１０−ｄおよび３１５−ｄのうちの１つまたは複数の制御器要素として実装されうる。
【００５６】
[0068]いくつかの実施形態では、ブロードキャスト管理デバイス２０５−ｆは、ＵＳＢモジュール８３０をオプションとして含みうる。ＵＳＢモジュール８３０は、ブロードキャスト管理デバイス２０５−ｆがＵＳＢケーブルを介してまたはワイヤレスＵＳＢ接続を介してデバイス１１５と通信することを可能にしうる。いくつかの構成では、ブロードキャスト管理デバイス２０５−ｆは、ＷＬＡＮモジュール８３５をオプションとして含みうる。ＷＬＡＮモジュール８３５は、ブロードキャスト管理デバイス２０５−ｆがワイヤレス接続（例えば、８０２．１１）を介してデバイス１１５と通信することを可能にしうる。ＵＳＢモジュール８３０およびＷＬＡＮモジュール８３５は、特定のブロードキャスト技術を実装する基地局１０５から受信されたＵＥ１１５へのデータのマルチキャストストリームをブロードキャストするために使用されうる。
【００５７】
[0069]図９は、様々な実施形態に従うマルチキャストデータストリームのブロードキャストを管理するための方法９００のフローチャートである。明瞭さのために、方法９００は、図２、図３、図４、図５、図６、図７、および／または図８のブロードキャスト管理デバイス２０５を参照して以下に記述される。１つの実装では、図３、図４、図５、図７、および／または図８のアプリケーションプロセッサモジュール３１０およびモデムプロセッサモジュール３１５は、以下に記述される機能を実行する１つまたは複数のセットの命令を実行しうる。
【００５８】
[0070]ブロック９０５で、マルチキャストセッションに参加するための要求が受信されうる。ブロック９１０で、マルチキャストセッションに関連する複数のブロードキャスト技術ベースの識別子が受信されうる。各ブロードキャスト技術ベースの識別子は、マルチキャストセッションをブロードキャストする複数の無線アクセス技術（ＲＡＴ）のうちの１つを識別しうる。ブロック９１５で、複数のＲＡＴのうちの１つが選択されうる。ブロック９２０で、マルチキャストセッションに関連するデータのマルチキャストストリームが選択されたＲＡＴから受信されうる。
【００５９】
[0071]方法９００は、マルチキャストＩＰアドレス識別子を技術特有の識別子にマップすることによってマルチキャストＩＰアドレスによって識別されたマルチキャストセッションに参加することを提供しうる。方法９００が単なる１つの実装であり、方法９００の動作が配列し直される、または他の実装が可能なように修正されうることに注意すべきである。
【００６０】
[0072]図１０は、データのマルチキャストストリームをトランスポートするための方法１０００のフローチャートである。明瞭さのために、方法１０００は、図２、図３、図４、図５、図６、図７、および／または図８のブロードキャスト管理デバイス２０５を参照して以下に記述される。１つの実装では、図３、図４、図５、図７、および／または図８のアプリケーションプロセッサモジュール３１０およびモデムプロセッサモジュール３１５は、以下に記述される機能を実行する１つまたは複数のセットの命令を実行しうる。
【００６１】
[0073]ブロック１００５で、ブロードキャスト技術ベースの識別子が複数のＲＡＴのうちの１つまたは複数にわたって受信される制御情報を識別するために使用される。ブロック１０１０で、データのマルチキャストストリームが複数のＲＡＴのうちの１つから受信されうる。データのマルチキャストストリームは、識別された制御情報に関連しうる。ブロック１０１５で、ＩＰパイプは、マルチキャストＩＰアドレスとブロードキャスト技術ベースの識別子との間の関連性を識別することに応じて生成されうる。ブロック１０２０で、受信したデータのマルチキャストストリームは、ＩＰパイプを介してモデムプロセッサからアプリケーションプロセッサへトランスポートされうる。
【００６２】
[0074]したがって、マルチキャストＩＰアドレス識別子を技術特有の識別子にマップした後、方法１０００は、関連するマルチキャストセッションに参加するための要求を受信したアプリケーションプロセッサモジュールにデータのマルチキャストストリームをトランスポートすることを提供しうる。方法１０００が単なる１つの実装であり、方法１０００の動作が配列し直される、または他の実装が可能なように修正されうることに注意すべきである。
【００６３】
[0075]図１１は、複数のデータのマルチキャストストリームをトランスポートするための方法のフローチャートである。明瞭さのために、方法１１００は、図２、図３、図４、図５、図６、図７、および／または図８のブロードキャスト管理デバイス２０５を参照して以下に記述される。１つの実装では、図３、図４、図５、図７、および／または図８のアプリケーションプロセッサモジュール３１０およびモデムプロセッサモジュール３１５は、以下に記述される機能を実行する１つまたは複数のセットの命令を実行しうる。
【００６４】
[0076]ブロック１１０５で、第１の要求は、第１のマルチキャストＩＰアドレスによって識別された第１のマルチキャストセッションに参加するために、第１のデバイスから受信されうる。ブロック１１１０で、第２の要求は、第２のマルチキャストＩＰアドレスによって識別された第２のマルチキャストセッションに参加するために、第２のデバイスから受信されうる。いくつかの構成では、第２のマルチキャストＩＰアドレスは、第１のマルチキャストＩＰアドレスと異なりうる。代替として、ＩＰアドレスは、同じアドレスでありうる。
【００６５】
[0077]ブロック１１１５で、第１のマルチキャストＩＰアドレスおよび第１のブロードキャスト技術ベースの識別子との間の関連性が識別されうる。ブロック１１２０で、第２のマルチキャストＩＰアドレスと第２のブロードキャスト技術ベースの識別子との間の関連性が識別されうる。ブロードキャスト技術ベースの識別子は、モデムプロセッサにトランスポートされうる。ブロック１１２５で、識別されたブロードキャスト技術に従って複数のＲＡＴのうちの１つから受信された第１の制御情報が識別されうる。ブロック１１３０で、識別されたブロードキャスト技術に従ってＲＡＴから受信された第２の制御情報が識別されうる。いくつかの構成では、ブロードキャスト技術ベースの識別子は、ｅＭＢＭＳ  ＲＡＴからのブロードキャストに使用されうる。いくつかの実施形態では、制御情報は、テンポラリモバイルグループアイデンティティ（ＴＭＧＩ）を含みうる。
【００６６】
[0078]ブロック１１３５で、第１のデータのマルチキャストストリームがＲＡＴから受信されうる。第１のデータのマルチキャストストリームは、第１の制御情報に関連しうる。ブロック１１４０で、第２のデータのマルチキャストストリームがＲＡＴから受信されうる。１つの実施形態では、第２のデータのマルチキャストストリームが第２の制御情報に関連しうる。ブロック１１４５で、第１のデータのマルチキャストストリームが第１のデバイスに送信され、第２のデータのマルチキャストストリームが第２のデバイスに送信されうる。
【００６７】
[0079]したがって、各々が特定のマルチキャストセッションをアドレスする複数のマルチキャストＩＰアドレスは、ブロードキャスト技術識別子に関連するように識別されうる。識別子は、各マルチキャストセッションのマルチキャストデータストリームをブロードキャストするために使用されている特定のブロードキャスト技術を識別するために使用されうる。様々なデータストリームは、対応するマルチキャストセッションに参加することを要求するデバイスに送信されうる。いくつかの実施形態では、マルチキャストセッションに関連するデータのマルチキャストストリームは、ロングタームエボリューション（ＬＴＥ）フェムトセルまたはホームｅＮｏｄｅ  Ｂ（ＨｅＮＢ）を介して受信されうる。１つの例では、マルチキャストセッションに関連するデータのマルチキャストストリームの少なくとも一部は、無認可の周波数スペクトルを使用して受信されうる。いくつかの場合には、無認可の帯域は、認可された帯域中のキャリア上で作動するプライマリセルに関連して補足のダウンリンク（ＳＤＬ）として使用されうる。いくつかの場合には、無認可の帯域は、８０２．１１のワイヤレスネットワークと供給された使用構成で使用されうる。方法１１００が単なる１つの実装であり、方法１１００の動作が配列し直される、または他の実装が可能なように修正されうることに注意すべきである。
【００６８】
[0080]図１２は、複製されたデータのマルチキャストストリームをトランスポートするための方法のフローチャートである。明瞭さのために、方法１２００は、図２、図３、図４、図５、図６、図７、および／または図８のブロードキャスト管理デバイス２０５を参照して以下に記述される。１つの実装では、図３、図４、図５、図７、および／または図８のアプリケーションプロセッサモジュール３１０およびモデムプロセッサモジュール３１５は、以下に記述される機能を実行する１つまたは複数のセットの命令を実行しうる。
【００６９】
[0081]ブロック１２０５で、マルチキャストセッションに参加する多数の要求が多数の別個のエンティティから受信されうる。マルチキャストセッションは、マルチキャストＩＰアドレスによって識別されうる。いくつかの実施形態では、別個のエンティティは、同じマルチキャストセッションに参加することを要求しうる。ブロック１２１０で、マルチキャストセッションのデータのマルチキャストストリームは、別個のエンティティから受信された識別された多数の要求に少なくとも一部分基づいて１つまたは複数のデータのストリームに複製されうる。ブロック１２１５で、複製されたデータのマルチキャストストリームは、識別された多数の別個のエンティティに送信されうる。
【００７０】
[0082]したがって、方法１２００は、同じマルチキャストセッションに参加することを要求した複数の別個のデバイスに複製されたデータのマルチキャストストリームをトランスポートすることを提供しうる。方法１２００が単なる１つの実装であり、方法１２００の動作が配列し直される、または他の実装が可能なように修正されうることに注意すべきである。
【００７１】
[0083]本明細書に記述される技術は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用され得る。用語「システム」および「ネットワーク」は、しばしば交換可能に使用される。ＣＤＭＡシステムは、ＣＤＭＡ２０００、ユニバーサルテレストリアルラジオアクセス（ＵＴＲＡ）、等のような無縁技術を実装しうる。ＣＤＭＡ２０００は、ＩＳ−２０００、ＩＳ−９５、およびＩＳ−８５６標準をカバーする。ＩＳ−２０００リリース０およびＡは、概して、ＣＤＭＡ２０００  １Ｘや１Ｘなどと称される。ＩＳ−８５６（ＴＩＡ−８５６）は一般的に、ＣＤＭＡ２０００  １ｘＥＶ−ＤＯや、高速パケットデータ（ＨＲＰＤ）などと称される。ＵＴＲＡは、広帯域ＣＤＭＡ（ＷＣＤＭＡ（登録商標））およびＣＤＭＡの他の変形を含む。ＴＤＭＡシステムは、グローバルシステムフォーモバイルコミュニケーションシステム（ＧＳＭ（登録商標））のような無線技術を実装しうる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡ、等のような無線技術を実装しうる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−アドバンスド（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称される団体からの文書内に記述される。ｃｄｍａ２０００およびＵＭＢは、「第３世代パートナーシッププロジェクト２」（３ＧＰＰ２）と称される団体からの文書内に記述される。本明細書において記述される技術は、上述されたシステムおよび無線術のみならず、その他のシステムおよび無線技術のために使用されうる。しかしながら、以上の記述は、例を目的としてＬＴＥシステムを記述され、ＬＴＥ用語が以上の記述の大部分において使用されているが、この技術はＬＴＥ適用の範囲を超えて適用可能である。
【００７２】
[0084]添付図面に関連して上述された詳細な説明は、例示的な実施形態を説明するものであり、実施されうる、あるいは請求項の範囲内に含まれる実施形態のみを表すものではない。本文書にわたって使用される用語「例示的（exemplary）」は、「好ましい」あるいは「その他の実施形態よりも有利である」ということではなく、「例、インスタンス、あるいは例示として役立つこと」を意味する。詳細な説明は、説明された技術の理解を提供する目的で、具体的な詳細を含む。しかしながら、これらの技術は、これらの具体的な詳細なしに実行されうる。いくつかのインスタンスでは、周知の構造およびデバイスは、記述された実施形態のコンセプトを不明瞭にしないようにブロック図で示される。
【００７３】
[0085]情報と信号は、様々な異なるテクノロジーおよび技術のうちの任意のものを使用して表されうる。例えば、以上の記述を通じて参照されうるデータ、命令、コマンド、情報、信号、ビット、シンボル、およびチップは、電圧、電流、電磁波、磁界あるいは磁気粒子、光場または光粒子、あるいはそれら任意の組み合わせによって表わされうる。
【００７４】
[0086]本明細書における開示に関連付けて説明された多様な例示的なブロック、サーバ、およびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいはその他のプログラマブル論理デバイス、離散ゲートもしくはトランジスタ論理、離散ハードウェア構成要素、あるいは本明細書において説明された機能を実行するために設計された、それら任意の組合せで実施あるいは実行されうる。汎用プロセッサは、マイクロプロセッサでありうるが、代替として、プロセッサは、任意の従来のプロセッサ、コントローラ、マイクロコントローラ、またはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと併用しての１つまたは複数のマイクロプロセッサ、あるいはいずれの他のそのような構成のもの、として実装されうる。
【００７５】
[0087]本明細書において記述される機能は、ハードウェア、プロセッサによって実行されるソフトウェア、ファームウェア、またはそれらの任意の組み合わせにおいて実装されうる。プロセッサによって実行されるソフトウェアで実装される場合には、機能は、コンピュータ可読媒体上で１つまたは複数の命令またはコードとして記憶または送信されうる。他の例および実装は、添付の特許請求の範囲および本開示のスピリットおよび範囲内にありうる。例えば、ソフトウェアの本質により、以上で記述機能は、プロセッサによって実行されるソフトウェア、ハードウェア、ファームウェア、ハードワイヤリング、またはこれらの任意の組み合わせを使用して実装されることができる。機能を実装する特徴はまた、様々な位置において物理的に配置され、それは、機能の部分が異なる物理的な位置において実装されるように分配されることを含む。特許請求の範囲を含む、本明細書で使用される場合、用語「および／または」は、２つ以上の項目からなるリストで使用されるとき、リストされた項目のうちの任意の１つがそれ自体によって採用されうること、あるいは、リストされた項目のうちの２つ以上からなる任意の組み合わせが採用されうることを意味する。例えば、ある構成が、コンポーネントＡ、Ｂ、および／またはＣを含むものとして記述される場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含みうる。また、特許請求の範囲を含む、本明細書に使用される場合、項目のリスト（例えば、「のうちの少なくとも１つ」あるいは「のうちの１つまたは複数のもの」のようなフレーズによって前置きされた項目のリスト）において使用されるような「または（or）」、例えば「Ａ、Ｂ、またはＣのうちの少なくとも１つ」のリストが、Ａ、またはＢ、またはＣ、またはＡＢ、またはＡＣ、またはＢＣ、またはＡＢＣを示す。
【００７６】
[0088]コンピュータ可読媒体は、１つの場所から別の場所へとコンピュータプログラムの転送を容易にするいずれの媒体をも含む、コンピュータ記憶媒体と通信媒体の両方を含む。記憶媒体は、汎用または専用コンピュータによってアクセスされることができるいずれの利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは命令またはデータ構造の形態で所望のプログラムコード手段を搬送または記憶するよう使用されることができ、汎用コンピュータまたは特殊用途コンピュータ、もしくは汎用プロセッサまたは特殊用途プロセッサによってアクセスされることができる任意の他の媒体を備えることができる。さらに、任意の接続は、コンピュータ可読媒体と適切に称される。例えば、ソフトウェアがウェブサイト、サーバ、または他のリモートソースから、同軸ケーブル、光ファイバーケーブル、ツイストペア、デジタル加入者回線（ＤＳＬ）、あるいは赤外線、無線、およびマイクロ波のようなワイヤレス技法を使用して送信される場合、同軸ケーブル、光ファイバーケーブル、ツイストペア、ＤＳＬ、あるいは赤外線、無線、およびマイクロ波のようなワイヤレス技法は送信媒体の定義に含まれる。ここで使用される、ディスク（Ｄｉｓｋ）とディスク（ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、およびブルーレイディスクを含み、ディスク（ｄｉｓｋ）はしばしばデータを磁気的に再生し、ディスク（ｄｉｓｃ）は、レーザで光学的に再生する。上記の組み合わせはまた、コンピュータ可読媒体の範囲内に含まれる。
【００７７】
[0089]本開示の前の記述は、当業者が本開示を行なうまたは使用することを可能にするために提供される。本開示に対する様々な変更は、当業者にとって容易に明らかになることがあり、また、本明細書で定義される一般的な原理は、本開示の範囲またはスピリットから逸脱することなく他の変更に適用されうる。本開示を通して、用語「例（example）」あるいは「例示的（exemplary）」は、例あるいはインスタンスを示すものであり、言及された例に対するいかなる選好を暗に示すものでも必要とするものでもない。したがって、本開示は、ここで説明される例および設計に限定されるべきではないが、ここで開示される原理および新規の特徴と一致して幅広い範囲が与えられるべきである。
以下に本願発明の当初の特許請求の範囲に記載された発明を付記する。
［Ｃ１］
ワイヤレス通信におけるデータのブロードキャストを管理する方法であって、
マルチキャストセッションに参加するための要求を受信することと、
前記マルチキャストセッションに関連する複数のブロードキャスト技術ベースの識別子を受信すること、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択することと、
前記選択されたＲＡＴから、前記マルチキャストセッションに関連するデータのマルチキャストストリームを受信することとを備える、方法。
［Ｃ２］
前記マルチキャストセッションに関連する制御情報を識別することをさらに備え、前記制御情報は、前記複数のＲＡＴのうちの１つまたは複数にわたって受信される、Ｃ１に記載の方法。
［Ｃ３］
前記選択されたＲＡＴを識別する前記ブロードキャスト技術ベースの識別子に少なくとも一部分基づいてインターネットプロトコル（ＩＰ）パイプを生成することと、
前記ＩＰパイプを介してモデムプロセッサから前記受信したデータのマルチキャストストリームをトランスポートすることとをさらに備える、Ｃ２に記載の方法。
［Ｃ４］
前記マルチキャストセッションに参加する別個のエンティティから受信した多数の要求を識別することをさらに備え、前記マルチキャストセッションは、マルチキャストインターネットプロトコル（ＩＰ）アドレスによって識別される、Ｃ１に記載の方法。
［Ｃ５］
別個のエンティティから受信した前記識別された多数の要求に少なくとも一部分基づいて１つまたは複数のデータのストリーム中にデータのマルチキャストストリームを複製することと、
前記識別された多数の別個のエンティティに前記複製されたマルチキャストストリームを送信することとをさらに備える、Ｃ４に記載の方法。
［Ｃ６］
前記要求を受信することは、
第１のマルチキャストＩＰアドレスによって識別された第１のマルチキャストセッションに参加するために、第１のデバイスから第１の要求を受信することと、
第２のマルチキャストＩＰアドレスによって識別された第２のマルチキャストセッションに参加するために、第２のデバイスから第２の要求を受信することと
をさらに備え、前記第２のマルチキャストＩＰアドレスは、前記第１のマルチキャストＩＰアドレスと異なる、Ｃ１に記載の方法。
［Ｃ７］
前記第１のマルチキャストＩＰアドレスに少なくとも一部分基づいて第１のブロードキャスト技術ベースの識別子を決定することと、
前記第２のマルチキャストＩＰアドレスに少なくとも一部分基づいて第２のブロードキャスト技術ベースの識別子を決定することとをさらに備える、Ｃ６に記載の方法。
［Ｃ８］
第１の無線アクセス技術（ＲＡＴ）を選択するために前記第１のブロードキャスト技術ベースの識別子を使用すること、ここにおいて、前記第１のＲＡＴは、前記第１のブロードキャスト技術ベースの識別子によって識別された第１のブロードキャスト技術を実装する、と、
第２のＲＡＴを選択するために前記第２のブロードキャスト技術ベースの識別子を使用することと
をさらに備え、前記第２のＲＡＴは、前記第２のブロードキャスト技術ベースの識別子によって識別された第２のブロードキャスト技術を実装する、Ｃ７に記載の方法。
［Ｃ９］
前記第１のＲＡＴから第１のデータのマルチキャストストリームを受信すること、ここにおいて、前記第１のデータのマルチキャストストリームは、第１の制御情報に関連する、と、
前記第２のＲＡＴから第２のデータのマルチキャストストリームを受信することと
をさらに備え、前記第２のデータのマルチキャストストリームは、第２の制御情報に関連する、Ｃ８に記載の方法。
［Ｃ１０］
前記第１デバイスに前記第１のデータのマルチキャストストリームを送信することと、
前記第２のデバイスに前記第２のデータのマルチキャストストリームを送信することとをさらに備える、Ｃ９に記載の方法。
［Ｃ１１］
モデムプロセッサに前記ブロードキャスト技術ベースの識別子を転送すること、ここにおいて、前記ブロードキャスト技術ベースの識別子は、前記選択されたＲＡＴを識別する、と、
前記モデムプロセッサに、前記選択されたＲＡＴによって使用される制御情報を転送することとをさらに備える、Ｃ１に記載の方法。
［Ｃ１２］
前記ブロードキャスト技術ベースの識別子は、エンハンスドマルチメディアブロードキャストマルチキャストサービス（ｅＭＢＭＳ）ＲＡＴを識別するために使用される、Ｃ１に記載の方法。
［Ｃ１３］
前記ｅＭＢＭＳ ＲＡＴは、テンポラリモバイルグループアイデンティティ（ＴＭＧＩ）を備える制御情報を送信する、Ｃ１２に記載の方法。
［Ｃ１４］
前記マルチキャストセッションに関連する前記データのマルチキャストストリームは、ロングタームエボリューション（ＬＴＥ）フェムトセルを介して受信される、Ｃ１に記載の方法。
［Ｃ１５］
前記マルチキャストセッションに関連する前記データのマルチキャストセッションの少なくとも一部は、無認可周波数スペクトルを使用して受信される、Ｃ１に記載の方法。
［Ｃ１６］
ワイヤレス通信におけるデータのブロードキャストを管理するように構成されるデバイスであって、
プロセッサと、
前記プロセッサと電子通信するメモリと、
前記メモリに記憶される命令と
を備え、前記命令は、前記プロセッサが、
マルチキャストセッションに参加するための要求を受信することと、
前記マルチキャストセッションに関連する複数のブロードキャスト技術ベースの識別子を受信すること、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択することと、
前記選択されたＲＡＴから、前記マルチキャストセッションに関連するデータのマルチキャストストリームを受信することとを実行可能である、デバイス。
［Ｃ１７］
前記命令は、前記プロセッサが、
前記マルチキャストセッションに関連する制御情報を識別することを実行可能であり、前記制御情報は、前記複数のＲＡＴのうちの１つまたは複数にわたって受信される、Ｃ１６に記載のデバイス。
［Ｃ１８］
前記命令は、前記プロセッサが、
前記選択されたＲＡＴを識別する前記ブロードキャスト技術ベースの識別子に少なくとも一部分基づいてインターネットプロトコル（ＩＰ）パイプを生成することと、
前記ＩＰパイプを介してモデムプロセッサから前記受信したデータのマルチキャストストリームをトランスポートすることとを実行可能である、Ｃ１７に記載のデバイス。
［Ｃ１９］
前記命令は、前記プロセッサが、
前記マルチキャストセッションに参加する別個のエンティティから受信した多数の要求を識別すること、ここにおいて、前記マルチキャストセッションは、マルチキャストインターネットプロトコル（ＩＰ）アドレスによって識別される、と、
別個のエンティティから受信した前記識別された多数の要求に少なくとも一部分基づいて１つまたは複数のデータのストリーム中にデータのマルチキャストストリームを複製することと、
前記識別された多数の別個のエンティティに前記複製されたマルチキャストストリームを送信することとを実行可能である、Ｃ１６に記載のデバイス。
［Ｃ２０］
前記命令は、前記プロセッサが、
第１のマルチキャストＩＰアドレスによって識別された第１のマルチキャストセッションに参加するために、第１のデバイスから第１の要求を受信することと、
第２のマルチキャストＩＰアドレスによって識別された第２のマルチキャストセッションに参加するために、第２のデバイスから第２の要求を受信することとを実行可能であり、前記第２のマルチキャストＩＰアドレスは、前記第１のマルチキャストＩＰアドレスと異なる、Ｃ１６に記載のデバイス。
［Ｃ２１］
前記命令は、前記プロセッサが、
前記第１のマルチキャストＩＰアドレスに少なくとも一部分基づいて第１のブロードキャスト技術ベースの識別子を決定することと、
前記第２のマルチキャストＩＰアドレスに少なくとも一部分基づいて第２のブロードキャスト技術ベースの識別子を決定することとを実行可能である、Ｃ１６に記載のデバイス。
［Ｃ２２］
前記命令は、前記プロセッサが、
第１の無線アクセス技術（ＲＡＴ）を選択するために前記第１のブロードキャスト技術ベースの識別子を使用すること、ここにおいて、前記第１のＲＡＴは、前記第１のブロードキャスト技術ベースの識別子によって識別された第１のブロードキャスト技術を実装する、と、
第２のＲＡＴを選択するために前記第２のブロードキャスト技術ベースの識別子を使用することと
を実行可能であり、前記第２のＲＡＴは、前記第２のブロードキャスト技術ベースの識別子によって識別された第２のブロードキャスト技術ベースの識別子を実装する、Ｃ２１に記載のデバイス。
［Ｃ２３］
前記命令は、前記プロセッサが、
前記第１のＲＡＴから第１のデータのマルチキャストストリームを受信すること、ここにおいて、前記第１のデータのマルチキャストストリームは、第１の制御情報に関連する、と、
前記第２のＲＡＴから第２のデータのマルチキャストストリームを受信すること、ここにおいて、前記第２のデータのマルチキャストストリームは、第２の制御情報に関連する、と、
前記第１デバイスに前記第１のデータのマルチキャストストリームを送信することと、
前記第２のデバイスに前記第２のデータのマルチキャストストリームを送信することとを実行可能である、Ｃ２２に記載のデバイス。
［Ｃ２４］
ワイヤレス通信におけるデータのブロードキャストを管理する装置であって、
マルチキャストセッションに参加するための要求を受信するための手段と、
前記マルチキャストセッションに関連する複数のブロードキャスト技術ベースの識別子を受信するための手段、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択するための手段と、
前記選択されたＲＡＴから、前記マルチキャストセッションに関連するデータのマルチキャストストリームを受信するための手段とを備える、装置。
［Ｃ２５］
前記マルチキャストセッションに関連する制御情報を識別するための手段をさらに備え、前記制御情報は、前記複数のＲＡＴのうちの１つまたは複数にわたって受信される、Ｃ２４に記載の装置。
［Ｃ２６］
前記選択されたＲＡＴを識別する前記ブロードキャスト技術ベースの識別子に少なくとも一部分基づいてインターネットプロトコル（ＩＰ）パイプを生成するための手段と、
前記ＩＰパイプを介してモデムプロセッサから前記受信したデータのマルチキャストストリームをトランスポートするための手段とをさらに備える、Ｃ２５に記載の装置。
［Ｃ２７］
前記マルチキャストセッションに参加する別個のエンティティから受信した多数の要求を識別するための手段をさらに備え、前記マルチキャストセッションは、マルチキャストインターネットプロトコル（ＩＰ）アドレスによって識別される、Ｃ２４に記載の装置。
［Ｃ２８］
別個のエンティティから受信した前記識別された多数の要求に少なくとも一部分基づいて１つまたは複数のデータのストリーム中にデータのマルチキャストストリームを複製するための手段と、
前記識別された多数の別個のエンティティに前記複製されたマルチキャストストリームを送信するための手段とをさらに備える、Ｃ２７に記載の装置。
［Ｃ２９］
ワイヤレス通信におけるデータのブロードキャストを管理するコンピュータプログラム製品であって、前記コンピュータプログラム製品は、プロセッサが、
マルチキャストセッションに参加するための要求を受信することと、
前記マルチキャストセッションに関連する複数のブロードキャスト技術ベースの識別子を受信すること、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択することと、
前記選択されたＲＡＴから、前記マルチキャストセッションに関連するデータのマルチキャストストリームを受信することとを実行可能な命令を記憶する非一時的コンピュータ可読媒体を備える、コンピュータプログラム製品。
［Ｃ３０］
前記命令は、プロセッサが、
前記マルチキャストセッションに関連する制御情報を識別すること、ここにおいて、前記制御情報は、前記複数のＲＡＴのうちの１つまたは複数にわたって受信される、と、
前記選択されたＲＡＴを識別するブロードキャスト技術ベースの識別子に少なくとも一部分基づいてインターネットプロトコル（ＩＰ）パイプを生成することと、
前記ＩＰパイプを介してモデムプロセッサから前記受信したデータのマルチキャストストリームをトランスポートすることとを実行可能である、Ｃ２９に記載のコンピュータプログラム製品。
【図１】
0006407893.tif 000002
【図２】
0006407893.tif 000003
【図３】
0006407893.tif 000004
【図４】
0006407893.tif 000005
【図５】
0006407893.tif 000006
【図６】
0006407893.tif 000007
【図７】
0006407893.tif 000008
【図８】
0006407893.tif 000009
【図９】
0006407893.tif 000010
【図１０】
0006407893.tif 000011
【図１１】
0006407893.tif 000012
【図１２】
0006407893.tif 000013